(57)【特許請求の範囲】
【請求項１】
ハンドセットを有する自動取引装置において、
前記ハンドセットが取り外し自在に装着される装着部と、
長手方向に直交する断面形状が幅の広い部分と幅の狭い部分とを有する形状となっており、かつ、前記ハンドセットに接続されたコードと、
前記装着部に設けられ、前記コードが当該自動取引装置の筐体の内部から当該筐体の外部に引き出されるコード口と、
前記コード口から前記筐体の外部に引き出された前記コードを前記筐体の内部に向けて引き込むコード巻取部と、
前記コード巻取部に設けられ、前記コードが出し入れされる巻取口と、
前記コード口と前記巻取口との間に設けられ、前記コードの１つの面に複数個所で接触するか又は前記コードの複数の面に接触することにより、当該巻取口に進入する前記コードの捻れを防止する捻れ防止機構とを有し、
前記コード口と前記捻れ防止機構とを結ぶ直線及び前記捻れ防止機構と前記コード巻取部の前記巻取口とを結ぶ直線は、同一直線上になく、
前記コードは、前記コード口から前記捻れ防止機構に至る部分が直線上にあり、前記捻れ防止機構から前記巻取口に至る部分が直線上にあり、前記捻れ防止機構で方向変換している
ことを特徴とする自動取引装置。
【請求項２】
請求項１に記載の自動取引装置において、
前記捻れ防止機構は、それぞれ、円弧状に湾曲された湾曲面を備え、かつ、それぞれの当該湾曲面が前記コードを介して互いに対向するように配置された第１ガイド部材と第２ガイド部材とによって構成されており、
前記第１ガイド部材及び前記第２ガイド部材は、それぞれの前記湾曲面が前記コード口と前記巻取口とを結ぶ直線から外れた位置に配置されており、かつ、前記コードが当該直線に近い側の前記湾曲面の円弧に沿って遊挿する程度に、それぞれの前記湾曲面の間が離間している
こと特徴とする自動取引装置。
【請求項３】
請求項１に記載の自動取引装置において、
前記コードは、表面に、互いに対向する前記幅の広い部分としての第１幅広面及び第２幅広面と、互いに対向しかつ当該第１幅広面及び当該第２幅広面よりも幅の狭い前記幅の狭い部分としての第１幅狭面及び第２幅狭面とを備えており、
さらに、前記コードと接触して、前記コードを前記コード口から前記巻取口に向けて湾曲させて誘導する誘導部材を有し、
前記捻れ防止機構は、前記誘導部材に対して前記巻取口側の位置及び前記コード口側の位置のいずれか一方又は双方に配置された１乃至複数の接触部材によって構成されており、
前記接触部材は、前記コード口と前記巻取口とを結ぶ直線に対し、前記コードの当該直線に近い側の幅広面を前記第１幅広面とし、前記コードの当該直線から遠い側の幅広面を前記第２幅広面とする場合に、前記誘導部材とともに、当該直線から外れた位置に配置されており、かつ、前記誘導部材とともに、前記コードの前記第１幅広面と接触する
こと特徴とする自動取引装置。
【請求項４】
請求項１に記載の自動取引装置において、
前記コードは、表面に、互いに対向する前記幅の広い部分としての第１幅広面及び第２幅広面と、互いに対向しかつ当該第１幅広面及び当該第２幅広面よりも幅の狭い前記幅の狭い部分としての第１幅狭面及び第２幅狭面とを備えており、
前記捻れ防止機構は、両サイドに前記コードの前記第１幅狭面及び前記第２幅狭面と接触するガイドを備えるガイド付きの接触部材によって構成されており、
前記接触部材は、前記コードとの接触部分が前記コード口と前記巻取口とを結ぶ直線から外れた位置に配置されている
こと特徴とする自動取引装置。
【請求項５】
請求項１に記載の自動取引装置において、
前記コードは、表面に、互いに対向する前記幅の広い部分としての第１幅広面及び第２幅広面と、互いに対向しかつ当該第１幅広面及び当該第２幅広面よりも幅の狭い前記幅の狭い部分としての第１幅狭面及び第２幅狭面とを備えており、
前記捻れ防止機構は、前記コードの前記第１幅広面と接触する前記第１幅広面側の接触部材と前記コードの前記第２幅広面と接触する前記第２幅広面側の接触部材とによって構成されており、
前記第１幅広面側の接触部材及び前記第２幅広面側の接触部材は、それぞれ、前記コードとの接触部分が前記コード口と前記巻取口とを結ぶ直線から外れた位置に配置されている
こと特徴とする自動取引装置。
【請求項６】
請求項３乃至請求項５のいずれか一項に記載の自動取引装置において、
前記接触部材は、外周面が前記コードと接触するシャフトによって構成されている
こと特徴とする自動取引装置。
【請求項７】
請求項３乃至請求項５のいずれか一項に記載の自動取引装置において、
前記接触部材は、外周面が前記コードと接触するローラによって構成されている
こと特徴とする自動取引装置。
【請求項８】
請求項１乃至請求項７のいずれか一項に記載の自動取引装置において、
前記捻れ防止機構は、前記コード口から前記巻取口に向けて前記コードを湾曲して誘導し、かつ、前記コード口から前記捻れ防止機構のコード出口に向けて張架された前記コードの方向を第１方向とし、前記捻れ防止機構のコード入口から前記巻取口に向けて張架された前記コードの方向を第２方向とする場合に、当該第１方向と当該第２方向との間の角度が鈍角になっている
こと特徴とする自動取引装置。
【発明の詳細な説明】
【技術分野】
【０００１】
本発明は、ハンドセットを有する自動取引装置に関し、特に、ハンドセットに接続されたコードが捻（ねじ）れてコード巻取部の巻取口に引っ掛かるのを防止する自動取引装置に関する。
【背景技術】
【０００２】
例えば、金融機関や流通機関には、一般に「ＡＴＭ」と称される、入金や出金、振込等の取引処理を行う自動取引装置が多数設置されている。その自動取引装置の多くは、ハンドセットを搭載しており（例えば、特許文献１参照）、例えば、顧客が自動取引装置の操作に不慣れな場合や顧客が弱視者である場合等に、ハンドセットを介して音声で自動取引装置の操作方法等を顧客にアナウンスする構成になっている。
【０００３】
その自動取引装置は、内部に、外部の機器との通信を行うための通信部を有している。ハンドセットは、コードによって通信部（又は、通信部と電気的に接続された、信号を中継する中継部）に接続されている（図９Ａ参照）。図９Ａは、従来の自動取引装置のハンドセット周りの構成を示す図である。
【０００４】
図９Ａは、ハンドセット１３０を含む、ハンドセット１３０周りの構成を示している。図９Ａに示すように、従来の自動取引装置（以下、「ＡＴＭ６０１」と称する）は、ハンドセット装着部１２０がフロントパネル２に設けられており、ハンドセット１３０が取り外し可能な状態でそのハンドセット装着部１２０に装着されている。なお、フロントパネル２は、ＡＴＭ６０１の前面の上部側を保護する上部カバーである。
【０００５】
ハンドセット１３０は、把持部１３１、マイク１３２、スピーカ１３３、及び、コネクタ１３４を有している。把持部１３１は、顧客によって握られる部位である。マイク１３２は、音声が入力される構成要素である。スピーカ１３３は、音声が放音される構成要素である。コネクタ１３４は、コード１４１が接続されるコード接続部である。
【０００６】
ハンドセット１３０は、ハンドセット装着部１２０に装着される側の面（以下、「装着面」と称する）が顧客の顔に当接する面となる。マイク１３２は、ハンドセット１３０の装着面上の、把持部１３１の下側（図９Ａに示す例では、把持部１３１の右側）の位置に、設けられている。スピーカ１３３は、把持部１３１の上側（図９Ａに示す例では、把持部１３１の左側）の位置に、ハンドセット１３０の装着面から突出して設けられている。また、コネクタ１３４は、マイク１３２よりもさらに下側の位置に、ハンドセット１３０の装着面から突出して設けられている。ハンドセット１３０は、マイク１３２及びスピーカ１３３が標準的な顧客の口と耳の近傍に配置されるように、サイズ及び形状が定められている。
【０００７】
ハンドセット装着部１２０は、顧客がハンドセット１３０を使用した場合に、顧客（特に、弱視者の顧客）がハンドセット１３０を確実にハンドセット装着部１２０に戻せるように、また、ＡＴＭ６０１の係員がＡＴＭ６０１を保守する場合に、フロントパネル２が開閉されても、ハンドセット１３０がフロントパネル２から落下しないように、ハンドセット１３０のサイズ及び形状に合わせて形成されている。
【０００８】
例えば、ハンドセット装着部１２０は、凹部１２１がハンドセット１３０のスピーカ１３３に対向する部分に設けられており、さらに、凹部１２２がハンドセット１３０のコネクタ１３４に対向する部分に設けられている。なお、凹部１２１は、ハンドセット１３０のスピーカ１３３を内部に収納するスピーカ収納部として機能する部位である。また、凹部１２２は、ハンドセット１３０のコネクタ１３４を内部に収納するコネクタ収納部として機能する部位である。ハンドセット装着部１２０は、凹部１２１がスピーカ１３３を内部に収納し、凹部１２２がコネクタ１３４を内部に収納することにより、ハンドセット１３０をしっかりと保持する。
【０００９】
凹部１２２は、開口部１２３が底面に形成されている。開口部１２３は、ハンドセット１３０がハンドセット装着部１２０から取り外されたり、又は、ハンドセット１３０がハンドセット装着部１２０に戻されたり（装着されたり）する際に、コード１４１が出し入れされる（通過する）空間である。以下、開口部１２３を「コード口１２３」（図９Ｂ参照）と称する。なお、図９Ｂは、従来の自動取引装置のコード口及びコードの構成を示す図である。
【００１０】
図９Ｂ（ａ）は、コード口１２３の構成を示している。図９Ｂ（ａ）に示すように、コード口１２３は、円形の形状に形成されている。また、コード口１２３の直径Ｄは、コード１４１の後記する主平面の幅ｗ（図９Ｂ（ｂ）参照）よりも大きなサイズとなっている。すなわち、「Ｄ＞ｗ」の関係になっている。このようなコード口１２３のサイズ及び形状は、コード口１２３とコード１４１との間に隙間を設けるとともに、コード１４１の出し入れの障害となる角部分や辺をなくすことによって、コード口１２３とコード１４１との間の摩擦抵抗を低減して、コード口１２３がコード１４１を円滑に出し入れできるようにするためである。
【００１１】
一方、図９Ｂ（ｂ）は、コード１４１の構成を示している。コード１４１は、長手方向に直交する断面形状が幅の広い部分と幅の狭い部分とを有する形状となっており、ハンドセット１３０に接続されている。図９Ｂ（ｂ）に示す例では、コード１４１は、平型の形状に形成されている。以下、コード１４１を「平型コード１４１」と称する場合もある。このようなコード１４１の形状は、後記するコード巻取部１４０のリール１４４（図１０（ｂ）参照）の周回方向に、効率よく（具体的には、隙間なく密集して）巻回すことができるようにするためである。
【００１２】
図９Ｂ（ｂ）に示す例では、コード１４１は、幅の値が「ｗ」の２つの平面と、幅の値が「ｔ」の２つの平面とで表面が形成されている。なお、幅ｗ，ｔは、「ｗ＞ｔ」の関係になっている。以下、幅が広い方の平面（すなわち、幅ｗの平面）を「主平面」（又は「幅広面」）と称し、幅が狭い方の平面（すなわち、幅ｔの平面）を「副平面」（又は「幅狭面」）と称する。
【００１３】
なお、ＡＴＭ６０１は、コード口１２３とコード１４１との間に隙間が設けられている。ＡＴＭ６０１は、異物がその隙間からＡＴＭ６０１の内部に進入するのを防止するために、図９Ａに示すように、隙間を閉鎖するための封止部材１２４が、凹部１２２の底面に取り付けられている。封止部材１２４は、例えば、スポンジ等の軟性の素材で構成されており、また、コード口１２３と重なる部分に、例えば、十字方向に切断された切断部１２４ａが設けられている。封止部材１２４は、コード１４１がコード口１２３を出し入れされる際に、その切断部１２４ａを介してコード１４１を通過させる。これにより、封止部材１２４は、コード１４１がコード口１２３を出し入れされるのを阻害することなく、異物が隙間からＡＴＭ６０１の内部に進入するのを防止する。
【００１４】
また、図９Ａに示すように、ＡＴＭ６０１は、コード巻取部１４０が、ＡＴＭ６０１の内部の、ハンドセット装着部１２０の下側の位置に設けられている。コード巻取部１４０は、コード１４１を巻き取る構成要素である。
【００１５】
コード巻取部１４０は、コード１４１が巻回されるリール１４４が、内部に設けられている。コード巻取部１４０は、開口部（巻取口）１４３ａがリール１４４の周回方向の延長線上に設けられている。コード１４１は、コード巻取部１４０の内部でリール１４４に巻回されており、開口部１４３ａからコード巻取部１４０の外側に引き出されている。また、コード巻取部１４０は、開口部１４３ｂが設けられている。コード１４１は、その開口部１４３ｂからも外部に引き出されている。
【００１６】
開口部１４３ａから引き出されたコード１４１は、リール１４４に巻回されている残量があれば、その残量分だけ、さらに開口部１４３ａから引き出すことができる。また、開口部１４３ｂから引き出されたコード１４１は、所定の長さ分だけ開口部１４３ｂから引き出されている。
【００１７】
以下、開口部１４３ａから引き出されたコード１４１と開口部１４３ｂから引き出されたコード１４１とを区別する場合に、開口部１４３ａから引き出されたコード１４１を「コード１４１ａ」と称し、開口部１４３ｂから引き出されたコード１４１を「コード１４１ｂ」と称する。また、コード１４１ａが引き出される開口部１４３ａを「巻取口１４３ａ」と称する。
【００１８】
コード１４１ａは、その先端部がハンドセット１３０のコネクタ１３４に接続される。また、コード１４１ｂは、その先端部にモジュラプラグ１４２ｂが設けられており、その先端部がモジュラプラグ１４２ｂを介して図示せぬ通信部（又は、通信部と電気的に接続された、信号を中継する中継部）に接続される。
【００１９】
コード１４１ａは、顧客がハンドセット１３０を使用するために、ハンドセット１３０をハンドセット装着部１２０から取り外した場合に、コード巻取部１４０の内部から外部に引き出される。その結果、この場合に、コード１４１ａは、矢印Ａ２方向に進行する。また、コード１４１ａは、顧客がハンドセット１３０を使用して、そのハンドセット１３０をハンドセット装着部１２０に戻す（装着する）場合に、コード巻取部１４０の外部から内部に引き込まれる。その結果、この場合に、コード１４１ａは、矢印Ａ１方向に進行する。
【００２０】
なお、コード巻取部１４０は、コード１４１ａに対し、常に、収納方向（すなわち、コード１４１ａをコード巻取部１４０の内部に引き込む方向（具体的には、図９Ａに示すＦ方向））に引っ張り力（張力）をかけている。これにより、ＡＴＭ６０１は、顧客がハンドセット１３０を使用して、そのハンドセット１３０をハンドセット装着部１２０に戻す場合に、コード１４１ａがコネクタ１３４の凹部１２２の内部への収納の邪魔にならないように、その戻す動作に合わせて、コード１４１ａをＡＴＭ６０１の内部（すなわち、コード口１２３の内側）に確実に引き込むことができる。
【００２１】
また、コード巻取部１４０は、コネクタ１３４（厳密には、コネクタ１３４から引き出されているコード１４１ａの根元部分の中央）とコード口１２３（厳密には、その中央）とを結ぶ直線Ｌ２から外れた位置に設けられている。したがって、ＡＴＭ６０１は、コード口１２３から巻取口１４３ａに向けてコード１４１ａを誘導する必要がある。ＡＴＭ６０１は、そのために、誘導用シャフト６５１を有している。
【００２２】
誘導用シャフト６５１は、コード１４１ａと接触して、コード１４１ａをコード口１２３から巻取口１４３ａに向けて湾曲させて誘導する誘導部材である。誘導用シャフト６５１は、円筒形に形成されている。誘導用シャフト６５１は、コード口１２３（厳密には、その中央）と巻取口１４３ａ（厳密には、その中央）とを結ぶ直線Ｌ１から外れた位置に設けられている。
【００２３】
このようなＡＴＭ６０１は、不特定多数の人物が顧客となってハンドセット１３０を取り扱うため、顧客がハンドセット１３０を使用する際に、強い力でコード１４１ａを引き出しても、コード１４１ａが損傷（例えば、延びたり、断線したり）しないように、構成する必要がある。そのために、ＡＴＭ６０１は、コネクタ１３４によって、コード１４１ａとハンドセット１３０との接続部分にかかる負荷からコード１４１ａを保護している。また、ＡＴＭ６０１は、コード１４１ａがコード口１２３を円滑に出し入れされるように、コード口１２３とコード１４１ａとの間に隙間が設けられている。
【００２４】
なお、コード巻取部に関連する技術として、例えば、特許文献２には、コード巻取部がハンドセット装着部の下に配置された電話機が記載されている。
【先行技術文献】
【特許文献】
【００２５】
【特許文献１】特開２００２−２０８０５８号公報（図２）
【特許文献２】特開平５−９１１７４号公報
【発明の概要】
【発明が解決しようとする課題】
【００２６】
しかしながら、従来の自動取引装置は、以下に説明するように、コードに捻れ部分が発生し、その捻れ部分が巻取口で詰まった場合や巻取口を越えてコード巻取部の内部に進入した場合に、顧客がその状態のコードを強引に引き出すと、捻れ部分が巻取口に引っ掛かり、これにより、コードが損傷（延びたり、断線したり）することがある、という課題があった。
【００２７】
以下、図１０を参照して、この課題につき説明する。図１０は、従来の自動取引装置のコードの捻れの発生原理を示す図である。図１０（ａ）は、コード口１２３と巻取口１４３ａとの間のコード１４１ａの状態を示しており、図１０（ｂ）は、巻取口１４３ａの内部のコード１４１ａの状態を示している。
【００２８】
なお、図１０（ｂ）に示す例では、巻取口１４３ａは、横方向の幅の値が「Ｗ」で、縦方向の幅の値が「Ｔ」の、矩形に形成されている。巻取口１４３ａの幅Ｗ，Ｔは、コード１４１ａの幅ｗ，ｔと比較すると、「Ｗ＞ｗ＞Ｔ＞ｔ」の関係になっている。
【００２９】
従来のＡＴＭ６０１は、コード口１２３とコード１４１ａとの間に隙間がある。そのため、ＡＴＭ６０１は、コード口１２３付近でコード１４１ａの進行が乱れる場合がある。これにより、ＡＴＭ６０１は、コード口１２３と巻取口１４３ａとの間（特に、誘導部材である誘導用シャフト６５１の周囲）で、コード１４１ａに撓（たわ）みが発生し、その結果、図１０（ａ）に示すように、コード１４１ａに捻れ部分１４９が発生するときがある。
【００３０】
ＡＴＭ６０１は、コード巻取部１４０が常に収納方向の引っ張り力（張力）をコード１４１ａに与えている。コード１４１ａは、捻れ部分１４９が発生すると、捻れ部分１４９が巻取口１４３ａに進入しようとする。
【００３１】
そのコード１４１ａは、平型に形成されている。そのため、ＡＴＭ６０１は、コード１４１ａが例えば延伸方向に沿って折れ曲がることがある。また、コード１４１ａは、芯材の周りを弾性部材によって被覆している。そのため、コード１４１ａは、コード巻取部１４０が折れ曲がった状態のコード１４１ａを収納方向に引っ張ると、折れ曲がった部分が巻取口１４３ａに進入しようとし、その際に、折れ曲がった部分が巻取口１４３ａによって押圧されて巻取口１４３ａの副平面の幅Ｔに合わせて収縮する。これによって、コード１４１ａは、折れ曲がった部分が巻取口１４３ａで詰まったり巻取口１４３ａをすり抜けたりすることがある。その結果、コード１４１ａは、図１０（ｂ）に示すように、捻れ部分１４９が巻取口１４３ａで詰まったり巻取口１４３ａを越えてコード巻取部１４０の内部に進入したりするときがある。
【００３２】
ＡＴＭ６０１は、捻れ部分１４９が巻取口１４３ａで詰まった場合や巻取口１４３ａを越えてコード巻取部１４０の内部に進入した場合で、かつ、顧客がハンドセット１３０を使用するために、ハンドセット１３０を持ち上げる場合に、コード巻取部１４０の内部に進入した捻れ部分１４９が巻取口１４３ａに引っ掛かる。コード１４１ａは、顧客がその状態のコード１４１ａを強引に引き出すと、強い負荷がかかるため、損傷（延びたり、断線したり）する。
【００３３】
本発明は、前記した課題を解決するためになされたものであり、ハンドセットに接続されたコードが装着部（ハンドセット装着部）のコード口とコード巻取部の巻取口との間で捻れてコード巻取部の巻取口に引っ掛かるのを防止する自動取引装置を提供することを主な目的とする。
【課題を解決するための手段】
【００３４】
前記目的を達成するため、本発明は、ハンドセットを有する自動取引装置であって、前記ハンドセットが取り外し自在に装着される装着部と、長手方向に直交する断面形状が幅の広い部分と幅の狭い部分とを有する形状となっており、かつ、前記ハンドセットに接続されたコードと、前記装着部に設けられ、前記コードが当該自動取引装置の筐体の内部から当該筐体の外部に引き出されるコード口と、前記コード口から前記筐体の外部に引き出された前記コードを前記筐体の内部に向けて引き込むコード巻取部と、前記コード巻取部に設けられ、前記コードが出し入れされる巻取口と、前記コード口と前記巻取口との間に設けられ、前記コードの１つの面に複数個所で接触するか又は前記コードの複数の面に接触することにより、当該巻取口に進入する前記コードの捻れを防止する捻れ防止機構とを有し、前記コード口と前記捻れ防止機構とを結ぶ直線及び前記捻れ防止機構と前記コード巻取部の前記巻取口とを結ぶ直線は、同一直線上になく、前記コードは、前記コード口から前記捻れ防止機構に至る部分が直線上にあり、前記捻れ防止機構から前記巻取口に至る部分が直線上にあり、前記捻れ防止機構で方向変換している構成とする。
【００３５】
この自動取引装置は、捻れ防止機構が、コードの１つの面に「複数個所」で接触するか又はコードの複数の面に接触する。また、この自動取引装置は、コード口と捻れ防止機構とを結ぶ直線及び捻れ防止機構とコード巻取部の巻取口とを結ぶ直線が同一直線上になく、さらに、コードは、コード口から捻れ防止機構に至る部分が直線上にあり、捻れ防止機構から巻取口に至る部分が直線上にあり、捻れ防止機構で方向変換している。これにより、この自動取引装置は、捻れ防止機構と巻取口との間のコードの撓みを制限して、巻取口に進入するコードの捻れを防止する。
【００３６】
そのため、この自動取引装置は、捻れた状態のコードが巻取口で詰まったり巻取口を越えてコード巻取部の内部に進入したりするのを防止することができる。その結果、この自動取引装置は、コードが捻れてコード巻取部の巻取口に引っ掛かるのを防止することができ、これにより、コードが損傷（延びたり、断線したり）するのを防止することができる。
【００３７】
なお、例えば、特許文献２には、コード巻取部がハンドセット装着部の下に配置された電話機が記載されている。しかしながら、特許文献２に記載された電話機は、ハンドセットが電話機に装着された状態において、コードが電話機の外部に引き出されている。そのため、特許文献２に記載された電話機は、コードに撓みが生じる。このような特許文献２に記載された電話機には、コードをコード巻取部の方向に向けて誘導するという思想、及び、コード口と巻取口との間で、コードを撓み難くし、これにより、巻取口に進入するコードの捻れを防止するという思想が存在しない。そのため、特許文献２に記載された電話機は、コードが損傷する可能性がある。
【発明の効果】
【００３８】
本発明によれば、ハンドセットに接続されたコードが装着部のコード口とコード巻取部の巻取口との間で捻れてコード巻取部の巻取口に引っ掛かるのを防止する自動取引装置を提供することができる。
【図面の簡単な説明】
【００３９】
【図１】実施形態１に係る自動取引装置の全体の構成を示す図である。
【図２Ａ】実施形態１に係る自動取引装置の捻れ防止機構の構成を示す図である。
【図２Ｂ】実施形態１に係る自動取引装置のハンドセットの構成を示す図である。
【図２Ｃ】実施形態１に係る自動取引装置のコード巻取部の構成を示す図である。
【図３】実施形態２に係る自動取引装置の捻れ防止機構の構成を示す図である。
【図４】実施形態２に係る自動取引装置の捻れ防止機構の変形例の構成を示す図である。
【図５】実施形態３に係る自動取引装置の捻れ防止機構の構成を示す図である。
【図６】実施形態４に係る自動取引装置の捻れ防止機構の構成を示す図である。
【図７】実施形態５に係る自動取引装置のハンドセット周りの構成を示す図である。
【図８Ａ】第１変形例に係る自動取引装置の構成を示す図である。
【図８Ｂ】第２変形例に係る自動取引装置の構成を示す図である。
【図９Ａ】従来の自動取引装置のハンドセット周りの構成を示す図である。
【図９Ｂ】従来の自動取引装置のコード口及びコードの構成を示す図である。
【図１０】従来の自動取引装置のコードの捻れの発生原理を示す図である。
【発明を実施するための形態】
【００４０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００４１】
［実施形態１］
本実施形態１に係る自動取引装置（ＡＴＭ１（図２Ａ参照））は、従来の自動取引装置（ＡＴＭ６０１（図９Ａ参照））と比較すると、コード口１２３と巻取口１４３ａとの間に、捻れ防止機構１５０を有する点で相違している。
【００４２】
捻れ防止機構１５０は、巻取口１４３ａに進入するコード１４１ａの捻れを防止する機構である。
【００４３】
捻れ防止機構１５０は、図２Ｃに示すコード１４１ａの第１主平面１４６ａ及び第２主平面１４６ｂ並びに第１副平面１４７ａ及び第２副平面１４７ｂのいずれか１乃至複数と複数個所で接触する。例えば、本実施形態１では、捻れ防止機構１５０は、コード１４１ａの第１主平面１４６ａ及び第２主平面１４６ｂと２箇所で接触する。これにより、捻れ防止機構１５０は、捻れ防止機構１５０と巻取口１４３ａとの間のコード１４１ａの撓みを制限して、巻取口１４３ａに進入するコード１４１ａの捻れを防止する。
【００４４】
＜自動取引装置の構成＞
以下、図１、図２Ａ、図２Ｂ、及び、図２Ｃを参照して、本実施形態１に係る自動取引装置の構成につき説明する。なお、図１は、実施形態１に係る自動取引装置の全体の構成を示す図である。図２Ａは、実施形態１に係る自動取引装置の捻れ防止機構の構成を示す図である。図２Ｂは、実施形態１に係る自動取引装置のハンドセットの構成を示す図である。図２Ｃは、実施形態１に係る自動取引装置のコード巻取部の構成を示す図である。
【００４５】
図１に示すように、本実施形態１に係る自動取引装置（以下、「ＡＴＭ」と称する）１は、フロントパネル２、筐体３、前扉４Ａ、後扉４Ｂ、顧客操作部５、カード挿入排出口６、通帳挿入排出口７、伝票挿入排出口８、生体認証部９、紙幣挿入排出口１０、硬貨挿入排出口１１、ハンドセット装着部１２０、及び、ハンドセット１３０を有している。
【００４６】
フロントパネル２は、ＡＴＭ１の前面の上部側を保護する上部カバーである。フロントパネル２は、その上端部が蝶番（ちょつがい）によってＡＴＭ１の筐体３に回動可能に取り付けられている。フロントパネル２は、ＡＴＭ１の保守時に、係員によって、蝶番を軸にして、係員の腰に対向する部分が跳ね上がるように、回動される。これにより、ＡＴＭ１は、保守時に、前面の上部側が開放される。
【００４７】
筐体３は、ＡＴＭ１の本体であり、内部に、様々なユニット（例えば、紙幣や硬貨の鑑別部や金種別金庫等）を収納している。
【００４８】
前扉４Ａは、ＡＴＭ１の前面の下部側を保護する下部カバーである。前扉４Ａは、その左端部（又は、右端部）が蝶番によってＡＴＭ１の筐体３に回動可能に取り付けられている。前扉４Ａは、ＡＴＭ１の保守時に、係員によって、蝶番を軸にして、蝶番が設けられていない側の端部（以下、「自由端」と称する）が開くように、回動される。これにより、ＡＴＭ１は、保守時に、前面の下部側が開放される。
【００４９】
後扉４Ｂは、ＡＴＭ１の後面を保護するカバーである。後扉４Ｂは、その左端部（又は、右端部）が蝶番によってＡＴＭ１の筐体３に回動可能に取り付けられている。後扉４Ｂは、ＡＴＭ１の保守時に、係員によって、蝶番を軸にして、自由端が開くように、回動される。これにより、ＡＴＭ１は、保守時に、後面が開放される。
【００５０】
顧客操作部５は、顧客が入金や出金、振込等の取引を行うために操作する構成要素である。顧客操作部５は、各種の画面を表示する表示部と、顧客によって各種の指示や情報が入力される入力部とによって構成されている。ここでは、顧客操作部５は、タッチパネルによって構成されている場合を想定して説明する。
【００５１】
カード挿入排出口６は、キャッシュカードや振込カード等のカード媒体が挿入及び排出される開口部である。ＡＴＭ１は、カード挿入排出口６の奥に、カード媒体から情報を読み取るカードリーダライタユニットが配置されている。
【００５２】
通帳挿入排出口７は、通帳が挿入及び排出される開口部である。ＡＴＭ１は、通帳挿入排出口７の奥に、通帳から情報を読み取ったり、取引情報を通帳に印字したりする通帳プリンタユニットが配置されている。
【００５３】
伝票挿入排出口８は、伝票が挿入及び排出される開口部である。ＡＴＭ１は、伝票挿入排出口８の奥に、伝票から情報を読み取ったり、取引情報を伝票に印字したりする伝票プリンタユニットが配置されている。
【００５４】
生体認証部９は、顧客の生体情報を取得して、顧客を認証する構成要素である。ここでは、生体認証部９は、顧客の指の静脈パタンを取得して、顧客を認証する指静脈認証部として構成されているものとする。
【００５５】
紙幣挿入排出口１０は、取引時に、紙幣が挿入されたり、排出されたりする開口部である。
硬貨挿入排出口１１は、取引時に、硬貨が挿入されたり、排出されたりする開口部である。
【００５６】
ハンドセット装着部１２０は、ハンドセット１３０が装着される部位である。図２Ａに示すように、本実施形態１に係るＡＴＭ１のハンドセット装着部１２０は、従来のＡＴＭ６０１のハンドセット装着部１２０（図９Ａ参照）と同様の構成となっている。
【００５７】
すなわち、ハンドセット装着部１２０は、ハンドセット１３０のサイズ及び形状に合わせて形成されている。例えば、ハンドセット装着部１２０は、凹部１２１がハンドセット１３０のスピーカ１３３に対向する部分に設けられており、さらに、凹部１２２がハンドセット１３０のコネクタ１３５に対向する部分に設けられている。なお、凹部１２１は、ハンドセット１３０のスピーカ１３３を内部に収納するスピーカ収納部として機能する部位である。また、凹部１２２は、ハンドセット１３０のコネクタ１３５を内部に収納するコネクタ収納部として機能する部位である。ハンドセット装着部１２０は、凹部１２１がスピーカ１３３を内部に収納し、凹部１２２がコネクタ１３５を内部に収納することにより、ハンドセット１３０をしっかりと保持する。
【００５８】
凹部１２２は、コード口１２３としての開口部が底面に形成されている。コード口１２３は、ハンドセット１３０がハンドセット装着部１２０から取り外されたり、又は、ハンドセット１３０がハンドセット装着部１２０に戻されたり（装着されたり）する際に、コード１４１が出し入れされる（通過する）空間である。
【００５９】
コード１４１は、長手方向に直交する断面形状が幅の広い部分と幅の狭い部分とを有する形状となっており、ハンドセット１３０に接続されている。なお、各図に示す例では、コード１４１は、コード巻取部１４０のリール１４４（図２Ａ参照）の周回方向に、効率よく（具体的には、隙間なく密集して）巻回されるように、平型の形状に形成されている。図２Ｃに示す例では、コード１４１は、幅の値が「ｗ」の２つの主平面１４６と、幅の値が「ｔ」の２つの副平面１４７とで表面が形成されている。なお、幅ｗ，ｔは、「ｗ＞ｔ」の関係になっている。「主平面」は、特許請求の範囲に記載された「幅広面」に対応する。また、「副平面」は、特許請求の範囲に記載された「幅狭面」に対応する。
【００６０】
ここで、２つの主平面１４６を区別する場合に、２つの主平面１４６のうち、直線Ｌ１（図２Ａ参照）に近い方を「第１主平面１４６ａ」と称し、直線Ｌ１（図２Ａ参照）から遠い方を「第２主平面１４６ｂ」と称する。なお、「直線Ｌ１」は、コード口１２３（厳密には、その中央）と巻取口１４３ａ（厳密には、その中央）とを結ぶ線である。
【００６１】
また、２つの副平面１４７を区別する場合に、２つの副平面１４７のうち、筐体３（図１参照）の側面に近い方を「第１副平面１４７ａ」と称し、筐体３（図１参照）の側面から遠い方を「第２副平面１４７ｂ」と称する。
【００６２】
このようなコード１４１に対し、コード口１２３は、直径Ｄ（図２Ａ参照）がコード１４１の主平面１４６の幅ｗよりも相当に大きなサイズ（例えば、主平面１４６の幅ｗの２倍程度のサイズ）の円形の形状に形成されている。したがって、コード口１２３の直径Ｄ及びコード１４１の主平面１４６の幅ｗは、「Ｄ＞ｗ」の関係になっている。このようなコード口１２３のサイズ及び形状は、コード口１２３とコード１４１との間に隙間を設けるとともに、コード１４１の出し入れの障害となる角部分や辺をなくすことによって、コード口１２３とコード１４１との間の摩擦抵抗を低減して、コード口１２３がコード１４１を円滑に出し入れできるようにするためである。
【００６３】
なお、ＡＴＭ１は、コード口１２３とコード１４１との間に隙間が設けられている。ＡＴＭ１は、異物がその隙間からＡＴＭ１の内部に進入するのを防止するために、図２Ａに示すように、隙間を閉鎖するための封止部材１２４が、凹部１２２の底面に取り付けられている。封止部材１２４は、例えば、スポンジ等の軟性の素材で構成されており、また、コード口１２３と重なる部分に、例えば、十字方向に切断された切断部１２４ａ（図９Ｂ（ａ）参照）が設けられている。封止部材１２４は、コード１４１がコード口１２３を出し入れされる際に、その切断部１２４ａを介してコード１４１を通過させる。これにより、封止部材１２４は、コード１４１がコード口１２３を出し入れされるのを阻害することなく、異物が隙間からＡＴＭ１の内部に進入するのを防止する。
【００６４】
ハンドセット１３０は、音声でＡＴＭ１の操作方法等を顧客にアナウンスするための構成要素である。図２Ａに示すように、本実施形態１に係るＡＴＭ１のハンドセット１３０は、従来のＡＴＭ６０１のハンドセット１３０（図９Ａ参照）と同様の構成となっている。
【００６５】
すなわち、ハンドセット１３０は、把持部１３１、マイク１３２、スピーカ１３３、及び、コネクタ１３５を有している。把持部１３１は、顧客によって握られる部位である。マイク１３２は、音声が入力される構成要素である。スピーカ１３３は、音声が放音される構成要素である。コネクタ１３５は、コード１４１が接続されるコード接続部である。
【００６６】
マイク１３２は、ハンドセット１３０の装着面（ハンドセット装着部１２０に装着される側の面）上の、把持部１３１の下側（図２Ａに示す例では、把持部１３１の右側）の位置に、設けられている。スピーカ１３３は、把持部１３１の上側（図２Ａに示す例では、把持部１３１の左側）の位置に、ハンドセット１３０の装着面から突出して設けられている。また、コネクタ１３５は、マイク１３２よりもさらに下側の位置に、ハンドセット１３０の装着面から突出して設けられている。ハンドセット１３０は、マイク１３２及びスピーカ１３３が標準的な顧客の口と耳の近傍に配置されるように、サイズ及び形状が定められている。
【００６７】
なお、コネクタ１３５は、図２Ｂに示すように、第１回転部１３５ａ及び第２回転部１３５ｂを有する構成となっている。第１回転部１３５ａは、把持部１３１の軸とスピーカ１３３の放音方向とで形成される面内で回転するように、図２Ｂ（ａ）に示すように、コネクタ１３５を矢印Ｒ１方向（すなわち、ハンドセット１３０の装着面に対して近接方向又は離間方向）に自在に回転させるための機構である。第２回転部１３５ｂは、図２Ｂ（ａ）に示すように、コネクタ１３５を矢印Ｒ２方向（すなわち、コネクタ１３５の延伸方向を軸とし、その軸周りの方向）に自在に回転させるための機構である。なお、図２Ｂ（ａ）は、斜め上方向から見た、実施形態１に係るハンドセット１３０の全体の構成を示している。また、図２Ｂ（ｂ）は、斜め下方向から見た、実施形態１に係るハンドセット１３０のコネクタ１３５周りの構成を示している。
【００６８】
また、図２Ａに示すように、ＡＴＭ１は、コード巻取部１４０が、ＡＴＭ１の内部の、ハンドセット装着部１２０の下側の位置に設けられている。コード巻取部１４０は、コード１４１を巻き取る構成要素である。
【００６９】
コード巻取部１４０は、コード１４１が巻回されるリール１４４が、内部に設けられている。コード巻取部１４０は、巻取口１４３ａがリール１４４の周回方向の延長線上に設けられている。コード１４１は、コード巻取部１４０の内部でリール１４４に巻回されており、巻取口１４３ａからコード巻取部１４０の外側に引き出されている。また、コード巻取部１４０は、開口部１４３ｂが設けられている。コード１４１は、その開口部１４３ｂからも外部に引き出されている。
【００７０】
巻取口１４３ａから引き出されたコード１４１（コード１４１ａ）は、リール１４４に巻回されている残量があれば、その残量分だけ、さらに巻取口１４３ａから引き出すことができる。また、開口部１４３ｂから引き出されたコード１４１（コード１４１ｂ）は、所定の長さ分だけ開口部１４３ｂから引き出されている。
【００７１】
図２Ｃに示すように、コード１４１ａは、その先端部にモジュラプラグ１４２ａが設けられており、その先端部がモジュラプラグ１４２ａを介してハンドセット１３０のコネクタ１３５に接続される。また、コード１４１ｂは、その先端部にモジュラプラグ１４２ｂが設けられており、その先端部がモジュラプラグ１４２ｂを介して図示せぬ通信部（又は、通信部と電気的に接続された、信号を中継する中継部）に接続される。
【００７２】
なお、図２Ｃに示す例では、巻取口１４３ａは、横方向の幅の値が「Ｗ」で、縦方向の幅の値が「Ｔ」の、矩形に形成されている。巻取口１４３ａの幅Ｗ，Ｔは、コード１４１ａの幅ｗ，ｔと比較すると、「Ｗ＞ｗ＞Ｔ＞ｔ」の関係になっている。なお、巻取口１４３ａの幅Ｗ，Ｔ、並びに、コード１４１ａの幅ｗ，ｔの具体的な値は、例えば、幅Ｗが「５．５ｍｍ」程度、幅Ｔが「２ｍｍ」程度、幅ｗが「４ｍｍ」程度、幅ｔが「１ｍｍ」程度である。また、コード口１２３の直径Ｄ（図２Ａ参照）の具体的な値は、例えば、「１０ｍｍ」程度である。
【００７３】
コード１４１ａは、顧客がハンドセット１３０を使用するために、ハンドセット１３０をハンドセット装着部１２０から取り外した場合に、コード巻取部１４０の内部から外部に引き出される。その結果、この場合に、コード１４１ａは、矢印Ａ２方向に進行する。また、コード１４１ａは、顧客がハンドセット１３０を使用して、そのハンドセット１３０をハンドセット装着部１２０に戻す（装着する）場合に、コード巻取部１４０の外部から内部に引き込まれる。その結果、この場合に、コード１４１ａは、矢印Ａ１方向に進行する。
【００７４】
なお、コード巻取部１４０は、コード１４１ａに対し、常に、収納方向（すなわち、コード１４１ａをコード巻取部１４０の内部に引き込む方向（具体的には、図２Ａに示すＦ方向））に引っ張り力（張力）をかけている。これにより、ＡＴＭ１は、顧客がハンドセット１３０を使用して、そのハンドセット１３０をハンドセット装着部１２０に戻す場合に、コード１４１ａがコネクタ１３５の凹部１２２の内部への収納の邪魔にならないように、その戻す動作に合わせて、コード１４１ａをＡＴＭ１の内部（すなわち、コード口１２３の内側）に確実に引き込むことができる。
【００７５】
なお、コード巻取部１４０の張力は、好ましくは、コード１４１ａが長く引き出される程、大きな値になるようにするとよい。例えば、コード巻取部１４０は、コード１４１ａがわずかに（例えば、数ｃｍ）引き出された場合（すなわち、顧客がハンドセット１３０を数ｃｍ持ち上げた場合）に、コード１４１ａに対し、０．３±０．１Ｎ（ニュートン）の張力をＦ方向に向けてかけるようにするとよい。また、コード巻取部１４０は、コード１４１ａが引き出しの限界値（例えば、数十ｃｍ）近辺まで引き出された場合（すなわち、顧客がハンドセット１３０を数十ｃｍ持ち上げた場合）に、コード１４１ａに対し、１．７±０．２Ｎ（ニュートン）の張力をＦ方向に向けてかけるようにするとよい。そして、コード巻取部１４０は、コード１４１ａを内部に引き込むにつれて、張力を減衰させる。このようにして、コード巻取部１４０は、コード１４１ａをＡＴＭ１の内部（すなわち、コード口１２３の内側）に確実に引き込むとともに、コード１４１ａに過大な負荷をかけないようにして、コード１４１ａが損傷（延びたり、破断したり）するのを防止する。
【００７６】
なお、コード巻取部１４０は、図２Ａに示すように、コネクタ１３５（厳密には、コネクタ１３５から引き出されているコード１４１ａの根元部分の中央）とコード口１２３（厳密には、その中央）とを結ぶ直線Ｌ２から外れた位置に設けられている。
【００７７】
そして、ＡＴＭ１は、図２Ａに示すように、捻れ防止機構１５０が、コード口１２３と巻取口１４３ａとの間の、直線Ｌ１から外れた位置に設けられている。
【００７８】
捻れ防止機構１５０は、前記した通り、巻取口１４３ａに進入するコード１４１ａの捻れを防止する機構である。捻れ防止機構１５０は、コード１４１ａの第１主平面１４６ａ及び第２主平面１４６ｂ並びに第１副平面１４７ａ及び第２副平面１４７ｂのいずれか１乃至複数と複数箇所で接触する。これによって、捻れ防止機構１５０は、捻れ防止機構１５０と巻取口１４３ａとの間のコード１４１ａの撓みを制限する。
【００７９】
＜捻れ防止機構の構成＞
本実施形態１では、捻れ防止機構１５０は、図２Ａに示すように、第１ガイド部材１５１ａと第２ガイド部材１５１ｂとによって構成されている。第１ガイド部材１５１ａ及び第２ガイド部材１５１ｂは、それぞれ、少なくともコード１４１ａとの接触部分となる湾曲面が、コード口１２３と巻取口１４３ａとの間の、直線Ｌ１から外れた位置に設けられている。第１ガイド部材１５１ａ及び第２ガイド部材１５１ｂのうち、第１ガイド部材１５１ａは、直線Ｌ１に近い方の部材であり、一方、第２ガイド部材１５１ｂは、直線Ｌ１から遠い方の部材である。
【００８０】
第１ガイド部材１５１ａ及び第２ガイド部材１５１ｂは、それぞれ、円弧状に湾曲された湾曲面を備えている。第１ガイド部材１５１ａ及び第２ガイド部材１５１ｂは、それぞれの湾曲面がコード１４１ａを介して互いに対向するように配置されている。第１ガイド部材１５１ａ及び第２ガイド部材１５１ｂは、コード１４１ａが第１ガイド部材１５１ａの湾曲面の円弧に沿って遊挿する程度に、それぞれの湾曲面の間が離間している。
【００８１】
第１ガイド部材１５１ａ及び第２ガイド部材１５１ｂは、それぞれの湾曲面でコード１４１ａを挟み込むことによって、コード１４１ａをコード口１２３から巻取口１４３ａに向けて誘導するとともに、コード１４１ａに発生する撓みを制限する。
【００８２】
なお、第２ガイド部材１５１ｂの湾曲面は、第１ガイド部材１５１ａの湾曲面よりも大きな曲率半径で形成されている。したがって、第１ガイド部材１５１ａの湾曲面と第２ガイド部材１５１ｂの湾曲面との間の離間距離は、両端部が中央付近よりも大きくなっている。そのため、第１ガイド部材１５１ａ及び第２ガイド部材１５１ｂは、コード１４１ａを円滑に挿通させることができる。
【００８３】
このようなＡＴＭ１は、捻れ防止機構１５０が、コード１４１ａの第１主平面１４６ａ及び第２主平面１４６ｂ並びに第１副平面１４７ａ及び第２副平面１４７ｂのいずれか１乃至複数と複数個所（本実施形態１では、コード１４１ａの第１主平面１４６ａと第２主平面１４６ｂとの２箇所）で接触する。これにより、ＡＴＭ１は、捻れ防止機構１５０と巻取口１４３ａとの間のコード１４１ａの撓みを制限して、巻取口１４３ａに進入するコード１４１ａの捻れを防止する。
【００８４】
そのため、ＡＴＭ１は、捻れた状態のコード１４１ａが巻取口１４３ａで詰まったり巻取口１４３ａを越えてコード巻取部１４０の内部に進入したりするのを防止することができる。その結果、ＡＴＭ１は、コード１４１ａが捻れて巻取口１４３ａに引っ掛かるのを防止することができ、これにより、コード１４１ａが損傷（延びたり、断線したり）するのを防止することができる。
【００８５】
なお、コード１４１ａは、強い曲げ応力がかかると、寿命が短くなる。そのため、捻れ防止機構１５０は、強い曲げ応力がコード１４１ａにかからないようにすることが好ましい。本実施形態１では、捻れ防止機構１５０は、コード口１２３から捻れ防止機構１５０に向けて張架されたコード１４１ａの方向を第１方向とし、捻れ防止機構１５０から巻取口１４３ａに向けて張架されたコード１４１ａの方向を第２方向とする場合に、第１方向と第２方向との間の角度が鈍角になるように構成されている。これにより、捻れ防止機構１５０は、強い曲げ応力がコード１４１ａにかかるのを回避している。そのため、ＡＴＭ１は、コード１４１ａの寿命が短くなるのを抑制することができる。
【００８６】
なお、ＡＴＭ１は、ハンドセット１３０よりも重要度の高い構成要素（例えば、紙幣や硬貨の鑑別部や金種別金庫、顧客操作部等）がハンドセット１３０の周囲に存在する。そのため、捻れ防止機構１５０は、保守時に、重要度の高い構成要素の保守の障害にならない構成である必要がある。
【００８７】
捻れ防止機構１５０は、部品点数の少ない、簡素な構成となっており、これにより、保守時に、重要度の高い構成要素の保守の障害にならないという要望を満たす構成になっている。
【００８８】
以上の通り、本実施形態１に係るＡＴＭ１によれば、捻れた状態のコード１４１ａが巻取口１４３ａで詰まったり巻取口１４３ａを越えてコード巻取部１４０の内部に進入したりするのを防止することができる。その結果、コード１４１ａが捻れて巻取口１４３ａに引っ掛かるのを防止することができ、これにより、コード１４１ａが損傷（延びたり、断線したり）するのを防止することができる。
【００８９】
［実施形態２］
以下、図３を参照して、本実施形態２に係る自動取引装置（以下、「ＡＴＭ１Ａ」と称する）の捻れ防止機構（以下、「捻れ防止機構１５０Ａ」と称する）の構成につき説明する。図３は、実施形態２に係る自動取引装置の捻れ防止機構の構成を示す図である。
【００９０】
図３に示すように、本実施形態２に係るＡＴＭ１Ａは、実施形態１に係るＡＴＭ１と比較すると、捻れ防止機構１５０の代わりに、従来のＡＴＭ６０１（図９Ａ参照）と同様の誘導用シャフト６５１と、捻れ防止機構１５０Ａとを有する点で相違している。
【００９１】
誘導用シャフト６５１は、コード１４１ａと接触して、コード１４１ａをコード口１２３から巻取口１４３ａに向けて湾曲させて誘導する誘導部材である。誘導用シャフト６５１は、外周面がコード１４１ａの第１主平面１４６ａと接触するように、コード口１２３と巻取口１４３ａとの間の、直線Ｌ１から外れた位置に配置されている。
【００９２】
捻れ防止機構１５０Ａは、実施形態１の捻れ防止機構１５０と同様に、コード１４１ａの捻れを防止する機構である。捻れ防止機構１５０Ａは、コード１４１ａの第１主平面１４６ａと、誘導用シャフト６５１に対してコード口１２３側の位置と巻取口１４３ａ側の位置との２箇所で接触する構成になっている。
【００９３】
捻れ防止機構１５０Ａは、誘導用シャフト６５１に対して巻取口１４３ａ側の位置及びコード口１２３側の位置のいずれか一方又は双方に配置された１乃至複数の捻れ防止用接触部材によって構成されている。ここでは、捻れ防止用接触部材が２つの捻れ防止用シャフト（以下、「捻れ防止用シャフト１５２ａ，１５２ｂ」と称する）によって構成されている場合を想定して説明する。
【００９４】
捻れ防止用シャフト１５２ａ，１５２ｂは、誘導用シャフト６５１を含む複数個所で、コード１４１ａの第１主平面１４６ａと接触して、巻取口１４３ａに進行するコード１４１ａの撓みを制限することにより、コード１４１ａの塑性変形を低減し、ひいては、コード１４１ａの捻れを防止する接触部材である。
【００９５】
捻れ防止用シャフト１５２ａ，１５２ｂは、外周面がコード１４１ａの第１主平面１４６ａと接触するように、コード口１２３と巻取口１４３ａとの間の、直線Ｌ１（図２Ａ参照）から外れた位置に配置されている。なお、図３に示す例では、捻れ防止用シャフト１５２ａは、誘導用シャフト６５１に対して、コード口１２３側の位置に設けられており、一方、捻れ防止用シャフト１５２ｂは、誘導用シャフト６５１に対して、巻取口１４３ａ側の位置に設けられている。
【００９６】
このようなＡＴＭ１Ａの捻れ防止機構１５０Ａは、捻れ防止用シャフト１５２ａ，１５２ｂの外周面が、誘導用シャフト６５１に対して巻取口１４３ａ側の位置及びコード口１２３側の位置で、コード１４１ａの第１主平面１４６ａと接触して、捻れ防止機構１５０Ａと巻取口１４３ａとの間のコード１４１ａの撓みを制限する。これにより、ＡＴＭ１Ａは、巻取口１４３ａに進入するコード１４１ａの捻れを防止する。
【００９７】
そのため、ＡＴＭ１Ａは、捻れた状態のコード１４１ａが巻取口１４３ａで詰まったり巻取口１４３ａを越えてコード巻取部１４０の内部に進入したりするのを防止することができる。その結果、ＡＴＭ１Ａは、コード１４１ａが捻れて巻取口１４３ａに引っ掛かるのを防止することができ、これにより、コード１４１ａが損傷（延びたり、断線したり）するのを防止することができる。
【００９８】
また、本実施形態２に係る捻れ防止機構１５０Ａは、実施形態１に係る捻れ防止機構１５０と異なり、コード１４１ａを挟み込む構成になっていない。そのため、捻れ防止機構１５０Ａは、強い曲げ応力がコード１４１ａにかかるのを、実施形態１に係る捻れ防止機構１５０よりも、さらに回避することができる。その結果、捻れ防止機構１５０Ａは、コード１４１ａの寿命が短くなるのを、実施形態１に係る捻れ防止機構１５０よりも、さらに抑制することができる。
【００９９】
しかも、捻れ防止機構１５０Ａは、部品点数の少ない、簡素な構成となっており、これにより、保守時に、重要度の高い構成要素の保守の障害にならないという要望を満たす構成になっている。
【０１００】
以上の通り、本実施形態２に係るＡＴＭ１Ａによれば、捻れ防止機構１５０Ａを有しているため、実施形態１に係るＡＴＭ１と同様に、捻れた状態のコード１４１ａが巻取口１４３ａで詰まったり巻取口１４３ａを越えてコード巻取部１４０の内部に進入したりするのを防止することができる。その結果、コード１４１ａが捻れて巻取口１４３ａに引っ掛かるのを防止することができ、これにより、コード１４１ａが損傷（延びたり、断線したり）するのを防止することができる。
【０１０１】
しかも、ＡＴＭ１Ａによれば、コード１４１ａの寿命が短くなるのを、実施形態１に係るＡＴＭ１よりも、さらに抑制することができる。
【０１０２】
＜変形例＞
ＡＴＭ１Ａは、誘導部材や捻れ防止用接触部材として、シャフトの代わりに、ローラを用いることができる。以下、シャフトの代わりに、ローラを用いたＡＴＭ１Ａを「ＡＴＭ１Ａａ」と称し、また、シャフトの代わりに、ローラを用いた捻れ防止機構１５０Ａを「捻れ防止機構１５０Ａａ」と称する。
【０１０３】
以下、図４を参照して、そのようなＡＴＭ１Ａａの捻れ防止機構１５０Ａａの構成につき説明する。図４は、実施形態２に係る自動取引装置の捻れ防止機構の変形例の構成を示す図である。
【０１０４】
図４に示すように、ＡＴＭ１Ａａは、誘導部材として誘導用ローラ６５２を有しており、さらに、捻れ防止機構１５０Ａａの捻れ防止用接触部材として捻れ防止用ローラ１５４ａ，１５４ｂを有する構成となっている。なお、ＡＴＭ１Ａａは、シャフトとローラとを混在させて、誘導部材及び捻れ防止用接触部材を構成するようにしてもよい。
【０１０５】
誘導用ローラ６５２は、誘導用シャフト６５１と同様に、外周面がコード１４１ａの第１主平面１４６ａと接触して、コード１４１ａをコード口１２３から巻取口１４３ａに向けて湾曲させて誘導する誘導部材である。誘導用ローラ６５２は、円筒形に形成されており、その中央に設けられたシャフトを中心にして回転する。
【０１０６】
捻れ防止用ローラ１５４ａ，１５４ｂは、それぞれ、外周面がコード１４１ａの第１主平面１４６ａと接触して巻取口１４３ａに進行するコード１４１ａの撓みを制限することにより、コード１４１ａの捻れを防止する接触部材である。捻れ防止用ローラ１５４ａ，１５４ｂは、それぞれ、円筒形に形成されており、それぞれの中央に設けられたシャフトを中心にして回転する。
【０１０７】
このような変形例に係るＡＴＭ１Ａａは、誘導部材及び捻れ防止用接触部材がローラによって構成されている。そのため、ＡＴＭ１Ａａは、顧客がＡＴＭ１Ａａの内部から外部にコード１４１ａを引き出す場合や、コード巻取部１４０がＡＴＭ１Ａａの外部から内部にコード１４１ａを引き込む場合に、コード１４１ａを円滑に移動させることができるとともに、コード１４１ａにかかる摩擦力を低減させることができる。その結果、ＡＴＭ１Ａａは、実施形態２に係るＡＴＭ１Ａよりも、コード１４１ａの寿命を延ばすことができる。
【０１０８】
［実施形態３］
以下、図５を参照して、本実施形態２に係る自動取引装置（以下、「ＡＴＭ１Ｂ」と称する）の捻れ防止機構（以下、「捻れ防止機構１５０Ｂ」と称する）の構成につき説明する。図５は、実施形態３に係る自動取引装置の捻れ防止機構の構成を示す図である。図５（ａ）は、側面方向から見た、本実施形態２に係るＡＴＭ１Ｂの捻れ防止機構１５０Ｂの構成を示しており、図５（ｂ）は、正面方向（図５（ａ）に示す例の右方向）から見た、捻れ防止機構１５０Ｂに用いるガイド付きシャフト１５５の構成を示している。
【０１０９】
図５（ａ）に示すように、本実施形態３に係るＡＴＭ１Ｂは、実施形態１に係るＡＴＭ１と比較すると、捻れ防止機構１５０の代わりに、捻れ防止機構１５０Ｂを有する点で相違している。
【０１１０】
捻れ防止機構１５０Ｂは、実施形態１の捻れ防止機構１５０と同様に、コード１４１ａの捻れを防止する機構である。捻れ防止機構１５０Ｂは、コード１４１ａの第１主平面１４６ａ並びに第１副平面１４７ａ（図２Ｃ参照）及び第２副平面１４７ｂ（図２Ｃ参照）と、３箇所で接触する構成になっている。
【０１１１】
捻れ防止機構１５０Ｂは、コード１４１ａの捻れを防止する捻れ防止用接触部材としてのガイド付きシャフト１５５によって構成されている。ガイド付きシャフト１５５は、図５（ｂ）に示すように、軸１５５ａと、サイドガイド１５５ｂとを備えた構成になっている。
【０１１２】
軸１５５ａは、外周面がコード１４１ａの第１主平面１４６ａと接触する部位である。軸１５５ａは、円筒形に形成されている。
サイドガイド１５５ｂは、軸１５５ａの両サイドに突出して設けられ、コード１４１ａの第１副平面１４７ａ（図２Ｃ参照）及び第２副平面１４７ｂ（図２Ｃ参照）と接触して、コード１４１ａの主平面１４６（図２Ｃ参照）内の撓みを制限する段差である。
【０１１３】
ガイド付きシャフト１５５は、軸１５５ａの外周面がコード１４１ａの第１主平面１４６ａと接触するように、コード口１２３と巻取口１４３ａとの間の、直線Ｌ１（図２Ａ参照）から外れた位置に配置されている。なお、捻れ防止機構１５０Ｂは、ガイド付きシャフト１５５の代わりに、軸１５５ａの外周部分が回転するガイド付きローラ（図示せず）として構成することもできる。
【０１１４】
このようなＡＴＭ１Ｂの捻れ防止機構１５０Ｂは、ガイド付きシャフト１５５のサイドガイド１５５ｂが、捻れ防止機構１５０Ｂと巻取口１４３ａとの間で、コード１４１ａの第１副平面１４７ａ及び第２副平面１４７ｂと接触して、コード１４１ａの主平面１４６（図２Ｃ参照）内の撓みを制限する。これにより、ＡＴＭ１Ｂは、巻取口１４３ａに進入するコード１４１ａの捻れを防止する。
【０１１５】
そのため、ＡＴＭ１Ｂは、捻れた状態のコード１４１ａが巻取口１４３ａで詰まったり巻取口１４３ａを越えてコード巻取部１４０の内部に進入したりするのを防止することができる。その結果、ＡＴＭ１Ｂは、コード１４１ａが捻れて巻取口１４３ａに引っ掛かるのを防止することができ、これにより、コード１４１ａが損傷（延びたり、断線したり）するのを防止することができる。
【０１１６】
また、本実施形態３に係る捻れ防止機構１５０Ｂは、実施形態１に係る捻れ防止機構１５０と異なり、コード１４１ａを挟み込む構成になっていない。そのため、捻れ防止機構１５０Ｂは、強い曲げ応力がコード１４１ａにかかるのを、実施形態１に係る捻れ防止機構１５０よりも、さらに回避することができる。その結果、捻れ防止機構１５０Ｂは、コード１４１ａの寿命が短くなるのを、実施形態１に係る捻れ防止機構１５０よりも、さらに抑制することができる。
【０１１７】
しかも、捻れ防止機構１５０Ｂは、部品点数の少ない、簡素な構成となっており、これにより、保守時に、重要度の高い構成要素の保守の障害にならないという要望を満たす構成になっている。
【０１１８】
以上の通り、本実施形態３に係るＡＴＭ１Ｂによれば、捻れ防止機構１５０Ｂを有しているため、実施形態１に係るＡＴＭ１と同様に、捻れた状態のコード１４１ａが巻取口１４３ａで詰まったり巻取口１４３ａを越えてコード巻取部１４０の内部に進入したりするのを防止することができる。その結果、コード１４１ａが捻れて巻取口１４３ａに引っ掛かるのを防止することができ、これにより、コード１４１ａが損傷（延びたり、断線したり）するのを防止することができる。
【０１１９】
［実施形態４］
以下、図６を参照して、本実施形態４に係る自動取引装置（以下、「ＡＴＭ１Ｃ」と称する）の捻れ防止機構（以下、「捻れ防止機構１５０Ｃ」と称する）の構成につき説明する。図６は、実施形態４に係る自動取引装置の捻れ防止機構の構成を示す図である。
【０１２０】
図６に示すように、本実施形態４に係るＡＴＭ１Ｃは、実施形態１に係るＡＴＭ１と比較すると、捻れ防止機構１５０の代わりに、捻れ防止機構１５０Ｃを有する点で相違している。
【０１２１】
捻れ防止機構１５０Ｃは、実施形態１の捻れ防止機構１５０と同様に、捻れ防止機構１５０Ｃと巻取口１４３ａとの間のコード１４１ａの撓みを制限することによって、コード１４１ａの捻れを防止する機構である。
【０１２２】
捻れ防止機構１５０Ｃは、コード１４１ａを挟み込む複数の捻れ防止用接触部材によって構成されている。ここでは、捻れ防止用接触部材が２つの捻れ防止用シャフト（以下、「捻れ防止用シャフト１５６ａ，１５６ｂ」と称する）によって構成されている場合を想定して説明する。
【０１２３】
捻れ防止用シャフト１５６ａは、外周面がコード１４１ａの第１主平面１４６ａと接触する接触部材である。一方、捻れ防止用シャフト１５６ｂは、外周面がコード１４１ａの第２主平面１４６ｂと接触する接触部材である。捻れ防止用シャフト１５６ａは、特許請求の範囲に記載された「第１幅広面側の接触部材」に対応し、一方、捻れ防止用シャフト１５６ｂは、特許請求の範囲に記載された「第２幅広面側の接触部材」に対応する。
【０１２４】
捻れ防止用シャフト１５６ａ，１５６ｂは、それぞれ、円筒形に形成されている。捻れ防止用シャフト１５６ａ，１５６ｂは、それぞれ、コード口１２３と巻取口１４３ａとの間の、直線Ｌ１（図２Ａ参照）から外れた位置に、互いの軸の中心が距離Ｌ３だけずれて配置されている。なお、距離Ｌ３は、コード１４１ａの塑性変形による捻れを解消できるように、実験によって求めるとよい。
【０１２５】
このようなＡＴＭ１Ｃの捻れ防止機構１５０Ｃは、捻れ防止用シャフト１５６ａ，１５６ｂが、捻れ防止機構１５０Ｃと巻取口１４３ａとの間で、コード１４１ａの第１主平面１４６ａ及び第２主平面１４６ｂと２箇所で接触して、コード１４１ａの撓みを制限する。これにより、ＡＴＭ１Ｃは、巻取口１４３ａに進入するコード１４１ａの塑性変形による捻れを防止する。
【０１２６】
そのため、ＡＴＭ１Ｃは、捻れた状態のコード１４１ａが巻取口１４３ａで詰まったり巻取口１４３ａを越えてコード巻取部１４０の内部に進入したりするのを防止することができる。その結果、ＡＴＭ１Ｃは、コード１４１ａが捻れて巻取口１４３ａに引っ掛かるのを防止することができ、これにより、コード１４１ａが損傷（延びたり、断線したり）するのを防止することができる。
【０１２７】
しかも、捻れ防止機構１５０Ｃは、部品点数の少ない、簡素な構成となっており、これにより、保守時に、重要度の高い構成要素の保守の障害にならないという要望を満たす構成になっている。
【０１２８】
以上の通り、本実施形態４に係るＡＴＭ１Ｃによれば、捻れ防止機構１５０Ｃを有しているため、実施形態１に係るＡＴＭ１と同様に、捻れた状態のコード１４１ａが巻取口１４３ａで詰まったり巻取口１４３ａを越えてコード巻取部１４０の内部に進入したりするのを防止することができる。その結果、コード１４１ａが捻れて巻取口１４３ａに引っ掛かるのを防止することができ、これにより、コード１４１ａが損傷（延びたり、断線したり）するのを防止することができる。
【０１２９】
［実施形態５］
以下、図７を参照して、本実施形態５に係る自動取引装置（以下、「ＡＴＭ１Ｄ」と称する）の捻れ防止機構（以下、「捻れ防止機構１５０Ｄ」と称する）の構成につき説明する。図７は、実施形態５に係る自動取引装置の捻れ防止機構の構成を示す図である。
【０１３０】
図７に示すように、本実施形態５に係るＡＴＭ１Ｄは、捻れ防止機構１５０Ｄが以下のような構成になっている。すなわち、捻れ防止機構１５０Ｄは、ハンドセット１３０のコネクタ１３５が、突出して形成されている。また、ハンドセット装着部１２０が、コード１４１ａとともに、ハンドセット１３０のコネクタ１３５を内部に収納する凹部１２２を備えている。また、コード口１２３が、ハンドセット装着部１２０の凹部１２２の底面に形成されている。さらに、コード巻取部１４０は、巻取口１４３ａがそのコード口１２３と対向するように配置されている。
【０１３１】
なお、図７に示す例では、コード巻取部１４０は、巻取口１４３ａがコード口１２３から距離Ｌ４だけ離間した位置になるように、配置されている。また、巻取口１４３ａは、好ましくは、コネクタ１３５（厳密には、コネクタ１３５から引き出されているコード１４１の根元部分の中央）とコード口１２３（厳密には、その中央）とを結ぶ直線Ｌ２の上に配置されるとよい。
【０１３２】
ＡＴＭ１Ｄは、例えば、特許文献２に記載された電話機と比較すると、以下のような利点を有している。
【０１３３】
例えば、特許文献２に記載された電話機は、ハンドセットが電話機に装着された状態において、コードが電話機の外部に引き出されている。そのため、特許文献２に記載された電話機は、コードに撓みが生じる。このような特許文献２に記載された電話機には、コードをコード巻取部の方向に向けて誘導するという思想、及び、コード口と巻取口との間で、コードを撓み難くし、これにより、巻取口に進入するコードの捻れを防止するという思想が存在しない。そのため、特許文献２に記載された電話機は、コードが損傷する可能性がある。
【０１３４】
これに対して、本実施形態５に係るＡＴＭ１Ｄは、ハンドセット装着部１２０の凹部１２２がコード１４１ａとともに、ハンドセット１３０のコネクタ１３５を内部に収納することにより、コード１４１ａをコード巻取部１４０の方向に向けて誘導するとともに、コード口１２３と巻取口１４３ａとを対向させることにより、コード口１２３と巻取口１４３ａとを近接させて、巻取口１４３ａに対するコード１４１ａの撓み角をα１，α２に制限している。これにより、このＡＴＭ１Ｄは、巻取口１４３ａに進入するコード１４１ａの塑性変形による捻れを防止する。なお、「α１」は、巻取口１４３ａに対する第１主平面１４６ａ方向のコード１４１ａの撓み角（すなわち、巻取口１４３ａの中心に対するコード口１２３の左端部とコード口１２３の中心とでなす角度）の限界値を表している。また、「α２」は、巻取口１４３ａに対する第２主平面１４６ｂ方向のコード１４１ａの撓み角（すなわち、巻取口１４３ａの中心に対するコード口１２３の右端部とコード口１２３の中心とでなす角度）の限界値を表している。
【０１３５】
そのため、ＡＴＭ１Ｄは、捻れた状態のコード１４１ａが巻取口１４３ａで詰まったり巻取口１４３ａを越えてコード巻取部１４０の内部に進入したりするのを防止することができる。その結果、ＡＴＭ１Ｄは、コード１４１ａが捻れて巻取口１４３ａに引っ掛かるのを防止することができ、これにより、コード１４１ａが損傷（延びたり、断線したり）するのを防止することができる。
【０１３６】
しかも、捻れ防止機構１５０Ｄは、部品点数の少ない、簡素な構成となっており、これにより、保守時に、重要度の高い構成要素の保守の障害にならないという要望を満たす構成になっている。
【０１３７】
以上の通り、本実施形態５に係るＡＴＭ１Ｄによれば、捻れた状態のコード１４１ａが巻取口１４３ａで詰まったり巻取口１４３ａを越えてコード巻取部１４０の内部に進入したりするのを防止することができる。その結果、コード１４１ａが捻れて巻取口１４３ａに引っ掛かるのを防止することができ、これにより、コード１４１ａが損傷（延びたり、断線したり）するのを防止することができる。
【０１３８】
本発明は、前記した実施形態に限定されることなく、本発明の要旨を逸脱しない範囲で種々の変更や変形を行うことができる。
【０１３９】
例えば、第４実施形態に係るＡＴＭ１Ｃは、以下に説明する第１変形例や第２変形例のように変形することができる。ここでは、第１変形例に係るＡＴＭを「ＡＴＭ１Ｃａ」と称し、また、第２変形例に係るＡＴＭ１Ｃを「ＡＴＭ１Ｃｂ」と称して説明する。
【０１４０】
（第１変形例）
以下、図８Ａを参照して、第１変形例に係るＡＴＭ１Ｃａの構成につき説明する。図８Ａは、第１変形例に係る自動取引装置の構成を示す図である。
【０１４１】
図８Ａに示すように、第１変形例に係るＡＴＭ１Ｃａは、第４実施形態に係るＡＴＭ１Ｃと同様に、捻れ防止機構１５０Ｃを有している。ＡＴＭ１Ｃａは、巻取口１４３ａがコード口１２３と対向するように、コード巻取部１４０が配置されている。捻れ防止機構１５０Ｃは、その巻取口１４３ａとコード口１２３との間に配置されている。
【０１４２】
このようなＡＴＭ１Ｃａによれば、実施形態４に係るＡＴＭ１Ｃと同様の効果を得ることができる。
しかも、ＡＴＭ１Ｃａによれば、捻れ防止機構１５０Ｃが巻取口１４３ａとコード口１２３との間に配置されているため、コード巻取部１４０を、コード１４１ａの第１副平面１４７ａ及び第２副平面１４７ｂと平行な図示せぬ平面に沿って傾斜して配置させることができる。そのため、ＡＴＭ１Ｃａによれば、コード巻取部１４０が周囲のユニットの邪魔にならないように、効率よくコード巻取部１４０を配置させることができる。
【０１４３】
（第２変形例）
以下、図８Ｂを参照して、第２変形例に係るＡＴＭ１Ｃｂの構成につき説明する。図８Ｂは、第２変形例に係る自動取引装置の構成を示す図である。
【０１４４】
図８Ｂに示すように、第２変形例に係るＡＴＭ１Ｃｂは、実施形態４に係るＡＴＭ１Ｃと同様に、捻れ防止機構１５０Ｃを有している。さらに、ＡＴＭ１Ｃｂは、方向変換機構１６０を有している。
【０１４５】
方向変換機構１６０は、コード１４１ａを捻るように、コード１４１ａの傾き方向を変換する機構である。方向変換機構１６０は、コード口１２３と捻れ防止機構１５０Ｃとの間に配置される。
【０１４６】
なお、コード巻取部１４０は、方向変換機構１６０によって変換されたコード１４１ａの傾き方向に一致するように、傾斜して配置される。図８Ｂに示す例では、コード巻取部１４０は、横置きに配置されている。
【０１４７】
また、捻れ防止機構１５０Ｃは、傾斜して配置されたコード巻取部１４０の巻取口１４３ａの傾き方向に一致するように、傾斜して配置される。図８Ｂに示す例では、捻れ防止機構１５０Ｃは、横置きされたコード巻取部１４０に合わせて、横置きに配置されている。
【０１４８】
このようなＡＴＭ１Ｃｂによれば、実施形態４に係るＡＴＭ１Ｃと同様の効果を得ることができる。
しかも、ＡＴＭ１Ｃｂによれば、方向変換機構１６０がコード口１２３と捻れ防止機構１５０Ｃとの間に配置されているため、コード巻取部１４０を、横方向に傾斜して配置させることができる。そのため、ＡＴＭ１Ｃｂによれば、コード巻取部１４０が周囲のユニットの邪魔にならないように、第１変形例に係るＡＴＭ１Ｃａよりもさらに効率よくコード巻取部１４０を配置させることができる。
【符号の説明】
【０１４９】
１，１Ａ，１Ａａ，１Ｂ，１Ｃ，１Ｃａ，１Ｃｂ，１Ｄ    自動取引装置（ＡＴＭ）
２    フロントパネル（上部カバー）
３    筐体（本体）
４Ａ    前扉（下部カバー）
４Ｂ    後扉
５    顧客操作部
６    カード挿入排出口
７    通帳挿入排出口
８    伝票挿入排出口
９    生態認証部（指静脈認証部）
１０    紙幣挿入排出口
１１    硬貨挿入排出口
１２０    ハンドセット装着部
１２１    凹部（スピーカ収納部）
１２２    凹部（コネクタ収納部）
１２３    開口部（コード口）
１２４    封止部材（スポンジ）
１２４ａ    切断部
１３０    ハンドセット
１３１    把持部
１３２    マイク
１３３    スピーカ
１３５    コード接続部（コネクタ）
１３５ａ，１３５ｂ    回転部
１４０    コード巻取部
１４１（１４１ａ，１４１ｂ）    コード
１４２ａ，１４２ｂ    モジュラプラグ
１４３ａ    開口部（巻取口）
１４３ｂ    開口部
１４６（１４６ａ，１４６ｂ）    主平面（幅広面）
１４７（１４７ａ，１４７ｂ）    副平面（幅狭面）
１５０，１５０Ａ，１５０Ａａ，１５０Ｂ，１５０Ｃ    捻れ防止機構
１５１ａ，１５１ｂ    ガイド部材
１５２ａ，１５２ｂ    捻れ防止用シャフト（接触部材）
１５４ａ，１５４ｂ    捻れ防止用ローラ（接触部材）
１５５    ガイド付きシャフト
１５５ａ    軸
１５５ｂ    サイドガイド（段差）
１５６ａ，１５６ｂ    捻れ防止用シャフト（接触部材）
１６０    方向変換機構
１６１（１６１ａ，１６１ｂ）    方向変換部材（シャフト）
６５１    誘導用シャフト（誘導部材）
６５２    誘導用ローラ（誘導部材）
Ｌ１，Ｌ２    直線
【図１】
0005464298.tif 000002
【図２Ａ】
0005464298.tif 000003
【図２Ｂ】
0005464298.tif 000004
【図２Ｃ】
0005464298.tif 000005
【図３】
0005464298.tif 000006
【図４】
0005464298.tif 000007
【図５】
0005464298.tif 000008
【図６】
0005464298.tif 000009
【図７】
0005464298.tif 000010
【図８Ａ】
0005464298.tif 000011
【図８Ｂ】
0005464298.tif 000012
【図９Ａ】
0005464298.tif 000013
【図９Ｂ】
0005464298.tif 000014
【図１０】
0005464298.tif 000015